(57)【要約】【課題】医療画像を簡単に切り換え表示できる携帯端末を提供する。【解決手段】携帯端末８０には、患者Ａの頭部のＣＴ検査によって得られた水平断面の断面画像７０Ａａ（１）〜（ｎ）が格納された水平断面のフォルダと、患者Ａの頭部のＣＴ検査によって得られた垂直断面の断面画像７０Ａｂ（１）〜（ｎ）が格納された垂直断面のフォルダとが設けられている。携帯端末８０を水平姿勢にすると、水平断面のフォルダの断面画像７０Ａａ（１）〜（ｎ）のいずれかが表示され、水平姿勢のまま携帯端末８０を上下に移動させると、水平断面のフォルダ内で表示する画像の切り替えが行われる。携帯端末８０を垂直姿勢にすると、垂直断面のフォルダの断面画像７０Ａｂ（１）〜（ｎ）のいずれかが表示され、垂直姿勢のまま携帯端末８０を前後に移動させると、垂直断面のフォルダ内で表示する画像の切り替えが行われる。【選択図】図１１
2014184048.tif 000002
【特許請求の範囲】
【請求項１】
本体に組み込まれたディスプレイに医療画像を表示する携帯端末において、
互いに関連する複数の医療画像からなる複数の画像シリーズと、
前記本体の移動を検知する移動検知センサと、
前記移動検知センサにより検知された前記本体の移動態様に応じて、前記ディスプレイに表示する医療画像を切り換える表示制御部とを備え、
前記表示制御部は、
前記移動検知センサにより前記本体が第１の移動態様で移動されたことが検知された場合、前記ディスプレイに表示する医療画像を、表示中の医療画像と同じ画像シリーズの他の医療画像へと切り換え、
前記移動検知センサにより前記本体が前記第１の移動態様とは異なる第２の移動態様で移動されたことが検知された場合、前記ディスプレイに表示する医療画像を、表示中の医療画像とは異なる画像シリーズの医療画像へと切り換えることを特徴とする携帯端末。
【請求項２】
前記第１の移動態様は、前記本体をスライドさせる移動態様であることを特徴する請求項１記載の携帯端末。
【請求項３】
前記画像シリーズは、前記医療画像が所定の順番で並べられたものであり、
前記表示制御部は、前記本体がスライドされている間、スライド量が所定量に達する毎に前記ディスプレイに表示する医療画像を前記順番に基づいて順次切り替えることを特徴とする請求項２記載の携帯端末。
【請求項４】
前記第２の移動態様は、前記本体を振る移動態様であることを特徴とする請求項１〜３いずれか１項記載の携帯端末。
【請求項５】
前記第２の移動態様は、前記ディスプレイを水平にした水平姿勢と前記ディスプレイを垂直にした垂直姿勢との間で前記本体を回転させる移動態様であることを特徴とする請求項１〜３いずれか１項記載の携帯端末。
【請求項６】
前記画像シリーズとして、前記水平姿勢で表示される医療画像が格納された水平姿勢用画像シリーズ、及び、前記垂直姿勢で表示される医療画像が格納された垂直姿勢用画像シリーズを備え、
前記表示制御部は、
前記水平姿勢では、前記水平姿勢用画像シリーズの医療画像を前記ディスプレイに表示し、
前記垂直姿勢では、前記垂直姿勢用画像シリーズの医療画像を前記ディスプレイに表示することを特徴とする請求項５記載の携帯端末。
【請求項７】
前記第２の移動態様は、前記ディスプレイを垂直にした垂直姿勢において垂直な軸周りに前記本体を回転させる移動態様であることを特徴とする請求項１〜６いずれか１項記載の携帯端末。
【請求項８】
前記垂直姿勢は、第１垂直姿勢と、前記第１垂直姿勢から垂直な軸周りに前記本体を所定角度回転させた第２垂直姿勢とからなり、
前記画像シリーズとして、前記第１垂直姿勢で表示される医療画像が格納された第１垂直姿勢用画像シリーズ、及び、前記第２垂直姿勢で表示される医療画像が格納された第２垂直姿勢用画像シリーズとを備え、
前記表示制御部は、
前記第１垂直姿勢では、前記第１垂直姿勢用画像シリーズの医療画像を前記ディスプレイに表示し、
前記第２垂直姿勢では、前記第２垂直姿勢用画像シリーズの医療画像を前記ディスプレイに表示することを特徴とする請求項７記載の携帯端末。
【請求項９】
互いに関連する複数の画像シリーズが格納された複数の画像シリーズ格納部を備え、
前記表示制御部は、
前記移動検知センサにより前記本体が前記第１、第２の移動態様とは異なる第３の移動態様で移動されたことが検知された場合、前記ディスプレイに表示する医療画像を、表示中の医療画像とは異なる画像シリーズ格納部の医療画像へと切り換えることを特徴とする請求項１〜８いずれか１項記載の携帯端末。
【請求項１０】
各画像シリーズは、被検体の断面画像であり１回の検査で取得された一連の断面画像からなることを特徴とする請求項１〜９いずれか１項記載の携帯端末。
【請求項１１】
前記表示制御手段は、
前記ディスプレイに表示する医療画像を、現在表示中の医療画像とは異なる被検体を撮影した医療画像へと切り換える際に、前記切り換えを許容するか否かを選択させ、許容する旨の選択がなされた場合に、前記切り換えを行うことを特徴とする請求項１〜１０いずれか１項記載の携帯端末。
【発明の詳細な説明】
【技術分野】
【０００１】
本発明は、ディスプレイに医療画像を表示する携帯端末に関するものである。
【背景技術】
【０００２】
医療分野では、互いに関連する複数の医療画像（例えば、ＣＴ検査により得られた一連の断面画像）がシリーズ化されて共通の画像フォルダ内に格納され、診断の際には、画像フォルダ単位（画像シリーズ単位）で医療画像を観察するといったことが広く行われている。また、画像フォルダ（画像シリーズ）は、検査日などの違いに応じて複数設けられ、診断の際に、画像シリーズ間で医療画像を比較するといったことも行われる。
【０００３】
このような技術として、下記特許文献１には、医療画像に並べて操作ウィンドウを表示し、この操作ウィンドウ内のタグやスライダをマウスやキーボードなどを介して操作することによって、同一の画像シリーズ内で表示する医療画像を切り替えたり、異なる画像シリーズ間で表示する医療画像を切り替える構成が記載されている。
【０００４】
また、下記特許文献２、３には、振動や回転など携帯端末の移動に応じて、画面表示を切り替える構成が記載されている。
【先行技術文献】
【特許文献】
【０００５】
【特許文献１】特開２０１１−０９２６８７号公報
【特許文献２】特開２０１１−２０５２３６号公報
【特許文献３】特開２０１１−１９１５１５号公報
【発明の概要】
【発明が解決しようとする課題】
【０００６】
ところで、近年、携帯端末に医療画像を表示して、医療施設外などで手軽に診断を行えるようにした技術が要求されている。しかし、携帯端末は、ディスプレイが小さいので、上記特許文献１のように、医療画像の表示切換などの各種操作を行うための操作ウィンドウを表示すると、医療画像を表示するための表示領域が小さくなってしまい、医療画像が観察し難くなってしまう。
【０００７】
このため、上記特許文献２、３のように、携帯端末の移動に応じて医療画像の切り替え表示を行うといったことが考えられる。しかしながら、前述のように、診断の際には、同一の画像シリーズ内で医療画像の切り替え表示と、異なる画像シリーズ間で医療画像の切り替え表示との２種類の切り替え表示が併用されるが、上記特許文献２、３は、いずれもこのような２種類の切り替え表示を併用できないので、スムーズな診断の妨げとなってしまう。
【０００８】
本発明は、上記背景を鑑みてなされたものであり、医療画像を観察し易く、かつ、スムーズな診断が可能な携帯端末を提供することを目的としている。
【課題を解決するための手段】
【０００９】
上記目的を達成するために、本発明の携帯端末は、本体に組み込まれたディスプレイに医療画像を表示する携帯端末において、互いに関連する複数の医療画像からなる複数の画像シリーズと、本体の移動を検知する移動検知センサと、移動検知センサにより検知された本体の移動態様に応じて、ディスプレイに表示する医療画像を切り換える表示制御部とを備え、表示制御部は、移動検知センサにより本体が第１の移動態様で移動されたことが検知された場合、ディスプレイに表示する医療画像を、表示中の医療画像と同じ画像シリーズの他の医療画像へと切り換え、移動検知センサにより本体が第１の移動態様とは異なる第２の移動態様で移動されたことが検知された場合、ディスプレイに表示する医療画像を、表示中の医療画像とは異なる画像シリーズの医療画像へと切り換えるものである。
【００１０】
第１の移動態様は、本体をスライドさせる移動態様であってもよい。
【００１１】
画像シリーズは、医療画像が所定の順番で並べられたものであり、表示制御部は、本体がスライドされている間、スライド量が所定量に達する毎にディスプレイに表示する医療画像を順番に基づいて順次切り替えるものでもよい。
【００１２】
第２の移動態様は、本体を振る移動態様であってもよい。
【００１３】
第２の移動態様は、ディスプレイを水平にした水平姿勢とディスプレイを垂直にした垂直姿勢との間で本体を回転させる移動態様であってもよい。
【００１４】
画像シリーズとして、水平姿勢で表示される医療画像が格納された水平姿勢用画像シリーズ、及び、垂直姿勢で表示される医療画像が格納された垂直姿勢用画像シリーズを備え、表示制御部は、水平姿勢では、水平姿勢用画像シリーズの医療画像をディスプレイに表示し、垂直姿勢では、垂直姿勢用画像シリーズの医療画像をディスプレイに表示するものでもよい。
【００１５】
第２の移動態様は、ディスプレイを垂直にした垂直姿勢において垂直な軸周りに本体を回転させる移動態様であってもよい。
【００１６】
垂直姿勢は、第１垂直姿勢と、第１垂直姿勢から垂直な軸周りに本体を所定角度回転させた第２垂直姿勢とからなり、画像シリーズとして、第１垂直姿勢で表示される医療画像が格納された第１垂直姿勢用画像シリーズ、及び、第２垂直姿勢で表示される医療画像が格納された第２垂直姿勢用画像シリーズとを備え、表示制御部は、第１垂直姿勢では、第１垂直姿勢用画像シリーズの医療画像をディスプレイに表示し、第２垂直姿勢では、第２垂直姿勢用画像シリーズの医療画像をディスプレイに表示するものでもよい。
【００１７】
互いに関連する複数の画像シリーズが格納された複数の画像シリーズ格納部を備え、表示制御部は、移動検知センサにより本体が第１、第２の移動態様とは異なる第３の移動態様で移動されたことが検知された場合、ディスプレイに表示する医療画像を、表示中の医療画像とは異なる画像シリーズ格納部の医療画像へと切り換えるものでもよい。
【００１８】
各画像シリーズは、被検体の断面画像であり１回の検査で取得された一連の断面画像からなるものでもよい。
【００１９】
表示制御手段は、ディスプレイに表示する医療画像を、現在表示中の医療画像とは異なる被検体を撮影した医療画像へと切り換える際に、切り換えを許容するか否かを選択させ、許容する旨の選択がなされた場合に、切り換えを行うものでもよい。
【発明の効果】
【００２０】
本発明によれば、携帯端末が第１の移動態様で移動された際に、同一の画像シリーズ内で表示する医療画像を切り替え、携帯端末が第２の移動態様で移動された際に、異なる画像シリーズ間で表示する医療画像を切り替えるようにしたので、医療画像を観察し易く、かつ、スムーズな診断が可能である。
【図面の簡単な説明】
【００２１】
【図１】医療補助システムの概略を示す構成図である。
【図２】携帯端末の概略を示すブロック図である。
【図３】携帯端末のＣＰＵの機能説明図である。
【図４】医療画像が表示される手順を示すフローチャートである。
【図５】医療画像の切り替え手順を示すフローチャートである。
【図６】医療画像の記憶体系（フォルダ構成）を示す説明図である。
【図７】スライド移動により同一フォルダ内で医療画像の切り替え表示が行われる様子示す説明図である。
【図８】シングルシェイク操作により異なるフォルダ間で医療画像の切り替え表示が行われる様子示す説明図である。
【図９】ダブルシェイク操作によりシングルシェイク操作の場合よりもより上層の異なるフォルダ間で医療画像の切り替え表示が行われる様子示す説明図である。
【図１０】医療画像の記憶体系（フォルダ構成）を示す説明図である。
【図１１】スライド移動及び回転移動により医療画像の切り替え表示が行われる様子を示す説明図である。
【発明を実施するための形態】
【００２２】
図１に示すように、医療補助システム１０は、本発明の携帯端末１２を含んで構成される。携帯端末１２は、本体１３と本体１３に組み込まれたディスプレイ１４とを備え、例えば、インターネットやＬＡＮなどの通信ネットワーク１６を介して画像サーバ１８と接続されている。画像サーバ１８は、例えば、病院などの診療施設で検査に伴って撮影された医療画像を記憶している。携帯端末１２は、画像サーバ１８にアクセスし、記憶された医療画像をダウンロードする。そして、ダウンロードした医療画像ディスプレイ１４に表示する。
【００２３】
図２に示すように、携帯端末１２は、タブレット型のコンピュータや、ノート型のコンピュータなど、携帯型のコンピュータをベースに、オペレーティングシステムなどの制御プログラムや、コンピュータを携帯型医療画像表示装置として機能させるためのアプリケーションプログラム（ＡＰ）２０をインストールすることによって構成される。
【００２４】
携帯端末１２は、前述したディスプレイ１４の他、操作部２２、姿勢／移動検知センサ２４、ストレージデバイス２６、メモリ２８、ＣＰＵ３０、通信Ｉ／Ｆ３２を備え、これらがデータバス３４を介して接続されている。操作部２２は、例えば、各種操作ボタンや、ディスプレイ１４と一体のタッチパネル式のセンサなどからなり、ユーザーが携帯端末１２に対して入力した入力操作を検出する。
【００２５】
姿勢／移動検知センサ２４は、例えば、ジャイロセンサや、加速度センサ、地磁気を検知する磁気センサなど、または、これらのセンサを複数組み合わせたものからなり、携帯端末１２の姿勢や携帯端末１２が移動された際の移動方向や移動量などを検出する。
【００２６】
なお、本実施形態では、姿勢／移動検知センサ２４により、携帯端末１２がディスプレイ１４の奥側（以下単に奥側と称する）、または、ディスプレイ１４の手前側（以下単に手前側と称する）にスライド移動されたこと及びこのときの移動量と、携帯端末１２が上下に１回振られたこと（以下、携帯端末１２が上下に１回振られたことを、携帯端末１２に対してシングルシェイク操作がなされたと称する）と、携帯端末１２が上下に２回振られたこと（以下、携帯端末１２が上下に２回振られたことを、携帯端末１２に対してダブルシェイク操作がなされたと称する）とを検出する例で説明を行う。
【００２７】
ストレージデバイス２６は、例えば、ＳＳＤやハードディスクからなり、制御プログラムが記憶されている。メモリ２８は、ＣＰＵ３０が処理を実行するためのワークメモリである。ＣＰＵ３０は、制御プログラムをメモリ２８にロードして制御プログラムに従った処理を実行することにより、コンピュータの各部を統括的に制御する。通信Ｉ／Ｆ３２は、通信ネットワーク１６との間で伝送制御を行うネットワークインターフェイスを備えており、携帯端末１２は、通信Ｉ／Ｆ３２を介して画像サーバ１８と通信する。
【００２８】
また、ストレージデバイス２６には、ＡＰ２０として、医療画像表示処理ソフトウェアが記憶されている。医療画像表示処理ソフトウェアは、画像サーバ１８にアクセスして医療画像をダウンロードする機能と、画像サーバ１８からダウンロードした医療画像をディスプレイ１４に表示させる機能と、携帯端末１２の移動態様に基づいて、ディスプレイ１４に表示する医療画像を切り換える機能とをコンピュータに実行させるためのプログラムである。ＣＰＵ３０は、医療画像表示処理ソフトウェアをメモリ２８にロードし、医療画像表示処理ソフトウェアに従った処理を実行することにより、コンピュータの各部を統括的に制御する。
【００２９】
図３に示すように、医療画像表示処理ソフトウェアが起動すると、ＣＰＵ３０はメモリ２８と協働して、医療画像選択部４０、配信要求送信部４２、医療画像記憶部４４、表示制御部４６として機能する。
【００３０】
医療画像選択部４０は、医療画像表示処理ソフトウェアの起動に伴って作動し、画像サーバ１８から携帯端末１２へダウンロードする医療画像を選択させる。画像サーバ１８には、例えば、患者名の付された複数のフォルダが設けられており、各フォルダに対応する患者の医療画像が格納されている。医療画像選択部４０は、作動に伴って画像サーバ１８にアクセスし、患者名（フォルダ名）の一覧を取得して、ディスプレイ１４に表示させる。ユーザーは、操作部２２を操作し、ディスプレイ１４に表示された患者名を指定することでダウンロードするフォルダを選択できる。
【００３１】
ダウンロードするフォルダが選択されると、配信要求送信部４２が作動し、このフォルダの配信要求を画像サーバ１８に対して送信する。画像サーバ１８は、この配信要求を受け付け、配信要求されたフォルダを携帯端末１２に対して配信する。このように、医療画像は、患者毎にまとめられたフォルダ単位で携帯端末１２に配信（ダウンロード）される。そして、画像サーバ１８からダウンロードされた患者毎のフォルダは、医療画像記憶部４４に格納される。
【００３２】
このようにして画像サーバ１８からダウンロードされた患者毎のフォルダの内部には、所定の条件に応じてグループ分けされた複数の下層フォルダが格納され、さらに、下層フォルダ内にも複数のフォルダが格納されている。そして、最下層のフォルダ内に、互いに関連する複数枚の医療画像がシリーズ化されて格納されている（図６参照）。
【００３３】
図４に示すように、表示制御部４６は、医療画像のダウンロードが完了すると、ダウンロードにより取得された患者毎のフォルダ内に格納された医療画像の中からディスプレイ１４に表示する医療画像を選択させ、選択された医療画像をディスプレイ１４に表示する。表示制御部４６は、例えば、最上層のフォルダから下層のフォルダへと順にフォルダを指定させる選択画面をディスプレイ１４に表示させる。ユーザーは、選択画面に従って最上層のフォルダから順にフォルダを指定する。そして、表示制御部４６は、最下層のフォルダが指定されるとこのフォルダ内に格納された医療画像のうち、先頭の医療画像を初期画像としてディスプレイ１４に表示させる。
【００３４】
また、図５に示すように、表示制御部４６は、初期画像を表示した後、姿勢／移動検知センサ２４からの信号に基づき、携帯端末１２が奥側または手前側にスライド移動されたか（第１の移動態様で移動されたか）否か、及び、携帯端末１２に対してシングルシェイク操作がなされたか（第２の移動態様で移動されたか）否か、並びに、携帯端末１２に対してダブルシェイク操作がなされたか（第３の移動態様で移動されたか）否かを監視する。
【００３５】
そして、表示制御部４６は、携帯端末１２が、奥側または手前側にスライド移動された場合、このスライド移動に対応して、現在表示中の医療画像が格納されたフォルダと、同一フォルダに格納された別の医療画像を、現在表示中の医療画像に代えてディスプレイ１４に表示する（図７参照）。
【００３６】
また、表示制御部４６は、携帯端末１２に対してシングルシェイク操作がなされた場合、現在表示中の医療画像と同じ階層の異なるフォルダに格納された医療画像を、現在表示中の医療画像に代えてディスプレイ１４に表示する（図８参照）。
【００３７】
さらに、表示制御部４６は、携帯端末１２に対してダブルシェイク操作がなされた場合、現在表示中の医療画像が格納されたフォルダよりも１つ上層のフォルダであり、かつ、現在表示中の医療画像が格納されたフォルダとは異なるフォルダ内に格納された医療画像を、現在表示中の医療画像に代えてディスプレイ１４に表示する（図９参照）。
【００３８】
以下、表示制御部４６による医療画像の表示切換制御について、より詳細に説明を行う。なお、以下では、図６に示すように、画像サーバ１８からダウンロードされたフォルダが患者Ａのフォルダ６０であり、この患者Ａのフォルダ６０に格納された医療画像６０Ａａ（１）〜６０Ａａ（ｎ）、６０Ａｂ（１）〜６０Ａｂ（ｎ）、６０Ｂａ（１）〜６０Ｂａ（ｎ）をディスプレイ１４に表示する例で説明を行う。
【００３９】
図６において、患者Ａのフォルダ６０の内部には、ＣＴ検査のフォルダ６０Ａと、ＭＲＩ検査のフォルダ６０Ｂとが格納されている。また、ＣＴ検査フォルダ６０Ａの内部には、検査（撮影）日が２０１２年３月１日のフォルダ６０Ａａと、検査日が２０１３年３月１日のフォルダ６０Ａｂとが格納され、これら各フォルダ６０Ａａ、６０Ａｂの内部には、それぞれの検査日に撮影された頭部から足部へかけて連続した一連の断面画像（ＣＴ検査により得られたＣＴ画像であり、医療画像）６０Ａａ（１）〜（ｎ）、６０Ａｂ（１）〜（ｎ）が、頭部の断面画像を先頭に順番に格納されている。一方、ＭＲＩ検査のフォルダ６０Ｂの内部には、検査（撮影）日が２０１３年２月１日のフォルダ６０Ｂａが格納され、このフォルダ６０Ｂａの内部に、この検査日に撮影された頭部から足部へかけて連続した一連の断面画像（ＭＲＩ検査により得られたＭＲＩ画像であり、医療画像）６０Ｂａ（１）〜（ｎ）が格納されている。
【００４０】
図７に示すように、表示制御部４６は、フォルダ６０Ａａ（患者ＡのＣＴ検査の２０１３年３月１日撮影分）の断面画像６０Ａａ（１）〜（ｎ）のいずれかがディスプレイ１４に表示された状態で、携帯端末１２を奥側にスライドさせると、所定距離（例えば、１ｃｍ）移動する毎に、断面画像６０Ａａ（１）〜（ｎ）のうち、現在表示されている断面画像よりも順番が１つ後の断面画像を、現在表示中の断面画像に代えてディスプレイ１４に表示する。他方、表示制御部４６は、携帯端末１２が手前側にスライド移動された場合、所定距離（例えば、１ｃｍ）移動される毎に、断面画像６０Ａａ（１）〜（ｎ）のうち、現在表示中の断面画像よりも順番が１つ前の断面画像を、現在表示中の断面画像に代えてディスプレイ１４に表示する。
【００４１】
同様に、表示制御部４６は、フォルダ６０Ａｂの断面画像６０Ａｂ（１）〜（ｎ）のいずれかがディスプレイ１４に表示された状態で、携帯端末１２を奥側または手前側にスライドさせると、このスライドに連動させてフォルダ６０Ａｂ内で表示する断面画像を切り換える。また、表示制御部４６は、フォルダ６０Ｂの断面画像６０Ｂａ（１）〜（ｎ）のいずれかがディスプレイ１４に表示された状態で、携帯端末１２を奥側または手前側にスライドさせると、このスライドに連動させてフォルダ６０Ｂ内で表示する断面画像を切り換える。このように、携帯端末１２を奥側または手前側にスライドさせることによって最下層のフォルダ６０Ａａ、６０Ａｂ、６０Ｂａ内で表示する断面画像を切り換えることができる。
【００４２】
また、図８に示すように、表示制御部４６は、フォルダ６０Ａａ（患者ＡのＣＴ検査の２０１２年３月１日撮影分）の断面画像６０Ａａ（１）〜（ｎ）のいずれかがディスプレイ１４に表示された状態で、携帯端末１２に対してシングルシェイク操作がなされた場合、フォルダ６０Ａｂ（患者ＡのＣＴ検査の２０１３年３月１日撮影分）の断面画像６０Ａｂ（１）〜（ｎ）のいずれか（例えば、先頭の断面画像６０Ａｂ（１））を、現在表示中の断面画像に代えてディスプレイ１４に表示する。
【００４３】
同様に、表示制御部４６は、フォルダＡｂの断面画像６０Ａｂ（１）〜（ｎ）のいずれかがディスプレイ１４に表示された状態で、携帯端末１２に対してシングルシェイク操作が成された場合、フォルダＡａの断面画像６０Ａａ（１）〜（ｎ）のいずれか（例えば、先頭の医療画像断面画像６０Ａｂ（１））を、現在表示中の断面画像に代えてディスプレイ１４に表示する。なお、本例では、フォルダ６０Ｂ（患者ＡのＭＲＩ検査）の内部には、フォルダ６０Ｂａ（２０１３年２月１日撮影分）しか存在しないので、断面画像６０Ｂａ（１）〜（ｎ）のいずれかがディスプレイ１４に表示された状態で、携帯端末１２に対してシングルシェイク操作がなされても、医療画像の切り換え表示は行われない。
【００４４】
さらに、図９に示すように、表示制御部４６は、フォルダ６０Ａ（患者ＡのＣＴ検査）の断面画像６０Ａａ（１）〜（ｎ）、６０Ａｂ（１）〜（ｎ）のいずれかがディスプレイ１４に表示された状態で、携帯端末１２に対してダブルシェイク操作がなされた場合、フォルダ６０Ｂ（患者ＡのＭＲＩ検査）の断面画像６０Ｂａ（１）〜（ｎ）のいずれか（例えば、先頭の断面画像６０Ｂａ（１））を、現在表示中の断面画像に代えてディスプレイ１４に表示する。
【００４５】
同様に、表示制御部４６は、フォルダ６０Ｂの断面画像６０Ｂａ（１）〜（ｎ）のいずれかがディスプレイ１４に表示された状態で、携帯端末１２に対してダブルシェイク操作がなされた場合、断面画像６０Ａａ（１）〜（ｎ）のいずれか（例えば、先頭の断面画像６０Ａａ（１））、または、断面画像６０Ａｂ（１）〜（ｎ）のいずれか（例えば、先頭の断面画像６０Ａｂ（１））を、現在表示中の断面画像に代えてディスプレイ１４に表示する。なお、このように、切り換え候補の医療画像が格納されたフォルダが複数存在する場合（本例の場合、フォルダ６０Ａａとフォルダ６０Ａｂ）、いずれのフォルダの医療画像を表示するかについては自由に設定できるが、例えば、撮影日が近いなど切り換え前後の医療画像の関連度が高いフォルダ（本例の場合、フォルダ６０Ａｂ）に格納された医療画像へ表示を切り替えることが好ましい。
【００４６】
以上のように、本発明によれば、携帯端末１２を移動させることによって、同一フォルダ内での医療画像の切り換え表示に加えて、フォルダ間で医療画像の切り換え表示ができるので便利である。また、操作部を操作させることによって、前述した切り換え表示を行う場合と比較して、手軽に切り替え表示を行うことができる。
【００４７】
なお、本発明は、携帯端末を移動させることによって同一フォルダ内での医療画像の切り替え表示、及び、フォルダ間での医療画像の切り替え表示ができればよいので、細部の構成は上記実施形携帯に限定されず自由に設定できる。例えば、上記実施形態では、医療画像が断面画像（ＣＴ画像やＭＲＩ画像である例で説明をしたが、医療画像を断面画像に限定されず、周知の各種医療画像のいずれであってもよい。
【００４８】
また、上記実施形態では、携帯端末を３種類の移動態様で移動させることによって、フォルダ内での切り換え表示、フォルダ間での切り換え表示、より上層のフォルダ間での切り換え表示との３種類の切り換え表示を行う例で説明をしたが、携帯端末の移動態様の種類及び切り換え表示の種類は自由に設定できる。例えば、携帯端末を２種類の移動態様で移動させることによって、２種類の切り換え表示を行ってもよいし、携帯端末を４種類以上の移動態様で移動させることによって、４種類以上の切り換え表示を行ってもよい。
【００４９】
さらに、上記実施形態では、スライド移動でフォルダ内での切り換え表示を行い、シングルシェイク操作やダブルシェイク操作でフォルダ間での切り換え表示を行う例で説明をしたが、携帯端末の移動態様と、切り換え表示の種類との組合せは、これに限定されず自由に設定できる。例えば、シングルシェイク操作によりフォルダ内での切り換え表示を行い、ダブルシェイク操作でフォルダ間での切り換え表示を行ってもよい。もちろん、スライド移動でフォルダ間での切り換え表示を行ってもよい。また、回転移動（携帯端末をディスプレイが垂直な垂直姿勢とディスプレイが水平な水平姿勢との間で９０度回転させたり、携帯端末をディスプレイが横長となる横長姿勢とディスプレイが縦長となる縦長姿勢との間で９０度回転させるなど）に応じて、フォルダ内やフォルダ間の切り換え表示を行ってもよい。
【００５０】
また、フォルダ内での切り換え表示を行うための携帯端末の移動態様（第１の移動態様）は、１つのみに限定されず、例えば、スライド移動とシェイク操作とのいずれか行われた場合に、フォルダ内での切り替え表示を行うといったように、第１の移動態様を複数種類設けてもよい。もちろん、フォルダ間での切り替え表示を行うための携帯端末の移動態様（第２、第３の移動態様）を複数種類設けてもよい。
【００５１】
さらに、上記実施形態では、最下層のフォルダが検査（撮影）日毎のフォルダであり、その上層のフォルダが検査種別毎のフォルダであり、最上層のフォルダが患者毎のフォルダである例で説明をしたが、このような医療画像の記憶体系（フォルダ構成）については自由に設定できる。例えば、３層の体系に限定されず、２層の体系や４層以上の体系で医療画像を記憶してもよい。さらに、各層のフォルダの種類についても上記に限定されず、例えば、撮影（検査）条件毎、または、撮影（検査）範囲（部位）毎のフォルダが格納された層を設けてもよい。もちろん、操作部を操作するなどしてユーザーの好みに応じた記憶体系を構築できるようにしてもよい。
【００５２】
なお、携帯端末をシェイク操作することで、患者Ａのフォルダに格納された医療画像から、患者Ｂのフォルダに格納された医療画像へと表示を切り換えるなどのように、携帯端末の移動態様に基づいて、患者毎のフォルダ間で切り換え表示を行うといったことも考えられる。ただし、この場合、ユーザーが意図せずに携帯端末が移動してしまい、気が付かないうちに異なる患者の医療画像が表示され、異なる患者の医療画像に基づいて診断を行ってしまうなどの問題がある。このため、携帯端末の移動態様に基づいて、患者毎のフォルダ間で切り換え表示を行う場合、切り換え表示を行う前に、ディスプレイに確認のメッセージを表示し、ユーザーが了承した場合にのみ、切り換え表示を行うことが好ましい。
【００５３】
また、現在表示中の医療画像が格納されたフォルダとは異なるフォルダに格納された医療画像へと表示を切り換える場合、異なるフォルダ内のいずれの医療画像を表示するかは自由に決定できる。ただし、例えば、図６の断面画像６０Ａａ（ｎ）のように順番が後方（足部）の断面画像を表示した状態から、断面画像６０Ａｂ（１）のように順番が前方（頭部）の断面画像へと表示が切り替わってしまうなどのように、切り替えの前後で表示されている医療画像の関連例が低いと（撮影部位が異なっていると）、医療画像の比較を行い難いといった問題がある。
【００５４】
このため、異なるフォルダに格納された医療画像へと表示を切り換える場合は、切り換え前後で撮影部位が近くなるように、切り換える医療画像を決定することが好ましい。この場合、切り換え前の医療画像の順番と同じ順番の医療画像へと表示を切り換えるといった方法が考えられる。また、医療画像の順番を分子とし、フォルダ内の医療画像の総数を分母とする割合（フォルダ内に格納された医療画像全体のどの位置に属する医療画像であるかを示す割合）が、切り換えの前後で最も近くなるように、表示する医療画像の順番を決定してもよい。
【００５５】
なお、現在表示中の医療画像が格納されたフォルダとは異なるフォルダに格納された医療画像へと表示を切り換える場合であっても、両者のフォルダに格納された医療画像に関連性がない場合もある（例えは、一方のフォルダに頭部ＣＴ画像が格納され、他方のフォルダに足部のＸ線画像（医療画像）が格納された場合）。このような場合、前述のように、フォルダ内の医療画像の順番や、順番を分子としフォルダ内の医療画像の総数を分母とする割合を考慮して、切り換え後に表示する医療画像を決定する意味がない。
【００５６】
このため、予め、切り換え前後のフォルダに格納された医療画像同士の関連性（検査（撮影）部位や範囲、検査種別など）を調べ、関連性が存在する場合にのみ、前述のように、フォルダ内の医療画像の順番や、順番を分子としフォルダ内の医療画像の総数を分母とする割合を考慮して、切り換え後に表示する医療画像を決定してもよい。なお、医療画像同士の関連性の有無は、医療画像が格納されたフォルダやその上層のフォルダのフォルダ名や、医療画像を撮影する際に医療画像に付帯された撮影条件などの付帯情報などに基づいて判定してもよいし、医療画像を解析し、解析結果に基づいて判定してもよい。
【００５７】
なお、水平姿勢（ディスプレイを水平にした姿勢）の携帯端末を手前側（ディスプレイの手前側）または奥側（ディスプレイの奥側）へ移動させることは、携帯端末を上下に移動させることと同義であり、垂直姿勢（ディスプレイを垂直にした姿勢）の携帯端末を手前側または奥側へ移動させることは、携帯端末を前後に移動させることと等しくなる。これを利用し、患者の体内に擬似的に潜り込んだように医療画像の表示切り替えを行うことも可能である。
【００５８】
この場合、第１の移動態様を、携帯端末の手前側または奥側へのスライド移動とする。また、第２の移動態様を、携帯端末の回転移動（水平姿勢から垂直姿勢への回転、または、垂直姿勢から水平姿勢への回転）とする。
【００５９】
また、図１０に示すように、患者Ａのフォルダ７０内に、ＣＴ検査フォルダ７０Ａを格納し、ＣＴ検査フォルダ７０Ａ内に、水平断面のフォルダ７０Ａａと、垂直断面のフォルダ７０Ａｂとを格納する。さらに、水平断面のフォルダ７０Ａａに、例えば、頭部の水平断面（体軸とは垂直な方向で切断した断面）の断面画像であり、頭頂部から首へかけて順番が付された断面画像７０Ａａ（１）〜（ｎ）を格納する。また、垂直断面のフォルダ７０Ａｂに、例えば、頭部の垂直断面（額と平行な方向で切断した断面）の断面画像であり、鼻から後頭部へかけて順番が付された断面画像７０Ａｂ（１）〜（ｎ）を格納する。
【００６０】
こうすることで、図１１に示すように、携帯端末８０を水平姿勢にすると、水平断面のフォルダ７０Ａａ内の断面画像７０Ａａ（１）〜（ｎ）のいずれかが表示され、この状態で携帯端末１２を奥側（すなわち、下方）へ移動させると、所定量移動させる毎に、現在表示中の断面画像よりも順番が後（すなわち、首側）の断面画像へと表示が切り替わり、携帯端末８０を手前側（すなわち、上方）へ移動させると、所定量移動させる毎に、現在表示中の断面画像よりも順番が前（すなわち、頭頂側）の断面画像へと表示が切り替わる。
【００６１】
また、携帯端末８０を垂直姿勢にすると、垂直断面のフォルダ７０Ａｂ内の断面画像７０Ａｂ（１）〜（ｎ）のいずれかが表示され、この状態で携帯端末１２を奥側（すなわち、前方）へ移動させると、所定量移動させる毎に、現在表示中の断面画像よりも順番が後（すなわち、後頭部側）の断面画像へと表示が切り替わり、携帯端末８０を手前側（すなわち、後方）へ移動させると、所定量移動させる毎に、現在表示中の断面画像よりも順番が前（すなわち、鼻側）の断面画像へと表示が切り替わる。
【００６２】
このように、携帯端末８０を水平姿勢にすると水平断面の断面画像が表示され、この状態で携帯端末８０を上へ移動させると、表示される断面画像もより上方を撮影した断面画像へと切り替わり、反対に、携帯端末８０を下へ移動させると、表示される断面画像もより下方を撮影した断面画像へと切り替わる。また、携帯端末８０を垂直姿勢にすると垂直断面の断面画像が表示され、この状態で携帯端末８０を前へ移動させると、表示される断面画像もより前（患者の後頭部側）を撮影した断面画像へと切り替わり、反対に、携帯端末８０を後へ移動させると、表示される断面画像のより後（患者の鼻側）を撮影した断面画像へと切り替わる。これにより、患者の体内に擬似的に潜り込んだように断面画像を観察できる。
【００６３】
なお、垂直断面のフォルダを２つ設け、一方に、図１０、図１１と同様の断面画像７０Ａｂ（１）〜（ｎ）、すなわち、頭部を額と平行な方向で切断した断面（以下、コロナル面）の断面画像を格納し、他方に、頭部を額と垂直かつ水平面と垂直な方向で切断した断面（以下、サジタル面）の断面画像を格納し、携帯端末１２を、前述した垂直姿勢から右または左に９０度回転（垂直な軸周りに９０度回転）させた際に、コロナル面の断面画像とサジタル面の断面画像との間で表示を切り替えてもよい。
【００６４】
また、上記実施形態では、複数枚の医療画像をフォルダ単位でまとめて画像サーバからダウンロードする例で説明をしたが、医療画像の表示や表示の切り替えを行う毎に、新たに表示する医療画像や切り替え後に表示する医療画像を１枚だけダウンロードして表示や表示の切り替えを行ってもよい。
【００６５】
さらに、上記実施形態では、画像シリーズ毎に１つのフォルダを設け、各フォルダにそれぞれ１つずつ画像シリーズを格納し、携帯端末が第１の移動態様で移動された際に、このフォルダ内で医療画像の切り替え表示を行う例で説明をしたが、画像シリーズ毎のフォルダを廃止してもよい。この場合、画像シリーズ毎のフォルダよりも１つ上層のフォルダ内に複数の画像シリーズを直接格納し、携帯端末が第１の移動態様で移動された際に、画像シリーズ内で医療画像の切り替え表示を行い、携帯端末が第２の移動態様で移動された際に、画像シリーズ間で医療画像の切り替え表示を行えばよい。
【００６６】
なお、上記実施形態で示したとおり、本発明は、プログラムの形態、さらにはプログラムを記憶する記憶媒体にも及ぶことはもちろんである。
【符号の説明】
【００６７】
１０  医療補助システム
１２  携帯端末
１３  本体
１４  ディスプレイ
２０  ＡＰ
２４  姿勢／移動検知センサ
２８  メモリ
３０  ＣＰＵ
４４  医療画像記憶部
４６  表示制御部
６０、６０Ａ、６０Ｂ、７０、７０Ａ  フォルダ（画像シリーズ格納部）
６０Ａａ、６０Ａｂ、６０Ｂａ、７０Ａａ、７０Ａｂ  フォルダ
６０Ａａ（１）〜（ｎ）、６０Ａｂ（１）〜（ｎ）、６０Ｂａ（１）〜（ｎ）、７０Ａａ（１）〜（ｎ）、７０Ａｂ（１）〜（ｎ）  断面画像、断面画像シリーズ（医療画像、画像シリーズ）
【図１】
2014184048.tif 000003
【図２】
2014184048.tif 000004
【図３】
2014184048.tif 000005
【図４】
2014184048.tif 000006
【図５】
2014184048.tif 000007
【図６】
2014184048.tif 000008
【図７】
2014184048.tif 000009
【図８】
2014184048.tif 000010
【図９】
2014184048.tif 000011
【図１０】
2014184048.tif 000012
【図１１】
2014184048.tif 000013